(57)【要約】【課題】滴下した処理液が均一に流れる検査デバイス用ケースの提供を解決課題とする。【解決手段】処理液が滴下される処理液投入保持部１１と被検物質に対して特異的相互作用を生じる検出用物質を保持する検出物質保持部１２１とをもつ検査部材１０を内部に収納し、処理液投入保持部１１に向けて開口する処理液注入窓４９が形成され、処理液注入窓４９のケース外側面４１ａにおける開口中心４９１ａがケース内側面４１ｂにおける開口中心４９２ａよりも検査部材１０に処理液が流れる方向Ａに対して上流方向に角度θだけ傾いていることにある。注入具９０の挿入方向によっては処理液の滴下位置が変化してバラツキの原因になることが予想されるため、注入具９０を挿入する処理液注入窓９０の開口方向を傾斜させている。処理液注入窓９０を傾斜させことにより、心理的乃至物理的に注入具９０を挿入する方向を制限することができ、処理液が検査部材１０を流れていく際のバラツキを小さくすることができる。【選択図】図１
2010025823.tif 000002
【特許請求の範囲】
【請求項１】
被検物質を含有する処理液が滴下される処理液投入保持部と前記被検物質に対して特異的相互作用を生じる検出用物質を保持する検出物質保持部とを有する検査部材が収納可能であり、収納された前記検査部材の前記処理液投入保持部に向けて開口し、注入具を挿入して外部から前記処理液が注入される処理液注入窓が形成された検査デバイス用ケースであって、
前記処理液注入窓は、ケース外側面における開口中心がケース内側面における開口中心より前記処理液が流れる方向の上流側となるように傾いていることを特徴とする検査デバイス用ケース。
【請求項２】
前記処理液注入窓は、前記ケース内側面における開口から前記ケース外側面における開口に向かって広くなることを特徴とする請求項１に記載の検査デバイス用ケース。
【請求項３】
前記ケース外側に、前記ケース外側面における開口の中心より前記処理液が流れる方向の上流側に標示中心点を有する放射状に表示される複数の標示記号、又は前記標示中心点を中心とする円として表される標示記号を備えることを特徴とする請求項１又は２に記載の検査デバイス用ケース。
【発明の詳細な説明】
【技術分野】
【０００１】
本発明は、被検査液中に含有される被検物質を検査する検査デバイスに用いられる検査デバイス用ケースに関し、特に、製造上のバラツキや操作者の操作上のバラツキによる検査精度への影響を小さくできる検査デバイス用ケースに関する。
【背景技術】
【０００２】
従来、微量の化学物質を定量する方法としては、大型機器を用いる質量分析や（高速）液体クロマトグラフィーなどが知られている。また、生物学的反応を利用して微量成分の定量、検出を行うバイオアッセイが知られている。バイオアッセイの１つとしてＥＬＩＳＡ法が知られている。ＥＬＩＳＡ法は感度が高く、種々の検査法において公定法として数多く採用されており、その特長としては、検出感度が概ね良好で、試験群にコントロールを加えることで定量が可能である点である。しかしながら、操作が煩雑であり、測定者の熟練度による誤差・ばらつきが大きい欠点がある。また、作業時間が数時間と長く使用する反応試薬や溶液量が多く必要である。
【０００３】
そこで、現場にてすぐに結果が判断できる手法の開発が進んでいる。例えば、抗原抗体反応を利用し、被検査液を滴下するだけでその中に含有される被検物質を特異的に検出できるイムノクロマトグラフィー法、酵素を用いて被検物質の検出を行うグルコースセンサー、表面プラズモン共鳴を用いるＳＰＲなどが挙げられる。中でもイムノクロマトグラフィー法は操作が簡便であり、妊娠検査薬など一般消費者向けの製品にも応用されている。
【０００４】
イムノクロマトグラフィー法では被検物質を含む被検査液を含む複数の処理液を順次、滴下していくことにより、被検物質に特有な抗原抗体反応が進行する。この抗原抗体反応の進行に伴い変化する色調などを検査することにより検出する。イムノクロマトグラフィー法では被検物質の存在のみならず、被検物質の量についても色調変化として検出することが行われている。
【０００５】
ところで、イムノクロマトグラフィー法では被検物質との間で反応が進行する検出用物質を保持する展開反応部の他、処理液を滴下する処理液投入保持部と、展開反応部の検出物質保持部を処理液が順調に通過・接触できるように処理液を展開させるためのドレインとして作用する吸水部とを有する構成をもつ検出部材を採用することが一般的である。この検出部材の処理液投入保持部に処理液を滴下することで処理液が順次流れていき、抗原抗体反応などが予定されたように進行していくことになる。従って、処理液の流れが変化すると、測定結果にも影響を与えることになる。
【０００６】
従来、処理液の滴下を均一に行うために、試料（処理液）添加用の上方開口部（２１ａ）と、底部に設けた排出口（２１ｂ）とを有する試料導入部（２１）、前記排出口（２１ｂ）と連絡する試料誘導流路（２２）、前記試料誘導流路（２２）と連絡し、底部開口部（２３ａ）を有する試料引込部（２３）、及び前記試料引込部（２３）の前記底部開口部（２３ａ）に連絡し、イムノクロマトグラフ展開膜（９）と対向して設けた試料拡張壁面（２４ａ）を有する試料拡張部（２４）を含む試料供給要素が開示されている（特許文献１）。この試料供給要素はイムノクロマトグラフ装置に試料（処理液）を供給するための要素である。
【特許文献１】特開２００６−３８６００号公報（図８、図１１など）
【発明の開示】
【発明が解決しようとする課題】
【０００７】
しかしながら、特許文献１に開示の要素では特許文献１の図１１に開示されたように処理液が試料供給要素の壁面を伝って流れるため、試料供給要素の表面性状により処理液の流れの様子が大きく変わってしまう。例えば、試料供給要素を樹脂成形品により形成する場合には表面に残存する剥離剤などの量が異なることにより処理液の流れが異なるものになる。更に、表面粗さ、表面の電荷状態の変動によっても親水性が変化して処理液の流れが変化することが考えられる。このような処理液の流れの変動を防止するには試料供給要素の壁面の表面状態を何らかの方法により一定に保つことが考えられるが、簡単ではない。また、処理液を滴下する場合に操作者の操作方法の相違によって処理液の流れに影響を与えることが考えられる。
【０００８】
本発明は上記実情に鑑みなされたものであり、検査部材に処理液を滴下した後、その処理液の流れを均一にできる検査デバイス用ケースを提供することを解決すべき課題とする。
【課題を解決するための手段】
【０００９】
上記課題を解決する請求項１に係る本発明の検査デバイス用ケースの特徴は、被検物質を含有する処理液が滴下される処理液投入保持部と前記被検物質に対して特異的相互作用を生じる検出用物質を保持する検出物質保持部とを有する検査部材が収納可能であり、収納された前記検査部材の前記処理液投入保持部に向けて開口し、注入具を挿入して外部から前記処理液が注入される処理液注入窓が形成された検査デバイス用ケースであって、
【００１０】
前記処理液注入窓は、ケース外側面における開口中心がケース内側面における開口中心より前記処理液が流れる方向の上流側となるように傾いていることにある。
【００１１】
上記課題を解決する請求項２に係る本発明の検査デバイス用ケースの特徴は、請求項１において、前記処理液注入窓は、前記ケース内側面における開口から前記ケース外側面における開口に向かって広くなることにある。
【００１２】
上記課題を解決する請求項３に係る本発明の検査デバイス用ケースの特徴は、請求項１又は２において、前記ケース外側に、前記ケース外側面における開口の中心より前記処理液が流れる方向の上流側に標示中心点を有する放射状に表示される複数の標示記号、又は前記標示中心点を中心とする円として表される標示記号を備えることにある。
【発明の効果】
【００１３】
上記のように構成した請求項１に係る検査デバイス用ケースにおいては、注入具を用いることにより、内壁を伝わせないで処理液を滴下することが可能になり、内壁の状態が処理液の滴下に影響を与えることを少なくできる。また、注入具により処理液を注入するため、注入具の挿入方向によっては処理液の滴下位置が変化してバラツキの原因になることが予想されるため、注入具を挿入する処理液注入窓を傾斜させている。処理液注入窓を傾斜させことにより、心理的乃至物理的に注入具を挿入する方向を制限することができ、処理液が検査部材を流れていく際のバラツキを小さくすることができる。つまり、処理液注入窓が傾いていることにより、注入具もその傾き方向に合わせて挿入することが想像されるからである。詳しくは後述するが、処理液投入保持部に対して垂直方向から注入具を接近させて処理液を注入するときには僅かな傾きによって処理液が注入・滴下される位置が大きく変化するが、処理液投入保持部に対して最初から一定の方向に傾斜した状態で注入具を接近させた場合にはその状態から僅かに傾いたとしても処理液が流れる方向は概ね同一であるため、処理液が流れる方向には大きな変化はない。
【００１４】
特に、処理液注入窓のケース外側面における開口中心がケース内側面の開口中心に対して上流側となるように傾くようにしているため、処理液の流れのバラツキを更に小さくできる。詳細については実施例において説明する。
【００１５】
上記のように構成した請求項２に係る検査デバイス用ケースにおいては、処理液注入窓がケース内側面における開口からケース外側面における開口に向かって広くなる形態を採用することにより、注入具の挿入が容易になって処理液の滴下のバラツキが小さくできる。
【００１６】
上記のように構成した請求項３に係る検査デバイス用ケースにおいては、ケース外側面における処理液注入窓の開口中心より処理液が流れる方向の上流側に標示中心点をもつ標示記号をケース外側面に設けることにより、その標示中心点に心理的に注目を集めることが可能になって、無意識にその標示中心点に注入具の先端部を移動させることが可能になる。その後、注入具の先端部をケース外側面における実際の処理液注入窓の開口中心に移動させるために注入具の挿入方向を望む方向に誘導することが可能になる。
【発明を実施するための最良の形態】
【００１７】
本発明の検査デバイス用ケースについて以下詳細に説明する。本実施形態の検査デバイス用ケースは被検査液中に含まれる被検物質を検査するために用いられる検査デバイスに採用されるケースである。その検査デバイスがどのような原理により被検査液中に含まれる被検物質を検査するかについては特に限定しない。例えば、イムノクロマトグラフィー法、ＥＬＩＳＡ法などが挙げられる。また、その他の一般的な物理的性質に基づき被検物質を検査するものであっても良い。例えば、ｐＨ、何らかの特異的な化学反応などを利用する検査デバイスが挙げられる。
【００１８】
検査デバイスは検査デバイス用ケースの他、検査部材をもつ。検査部材には処理液が所定の方向に流れていく。検査部材は被検物質を含有する処理液が滴下される処理液投入保持部と被検物質に対して特異的相互作用を生じる検出用物質を保持する検出物質保持部とをもつ。薄膜状の部材が例示できる。検査デバイス用ケースは検査部材を内部に収納する部材である。その形態としては特に限定しないが、検査部材が薄膜状である場合にはその厚み方向に対応する方向が相対的に薄い直方体形状が望ましい。検査デバイス用ケースは２以上の分割形成された部材（例えばカバー部及びベース部）を組み合わせて構成するものであっても良い。
【００１９】
検査デバイス用ケースは内部に収納する処理液投入保持部に向けて開口する処理液注入窓をもつ。処理液注入窓は注入具を挿入して外部から処理液を注入するための開口部であり、その開口の形態は特に限定されず、円形、三角形や四角形などの多角形、その他不定形などそのような形状であっても良い。処理液注入窓は傾いている。
【００２０】
処理液注入窓は、ケース外側面における開口中心がケース内側面における開口中心よりも前述した検査部材に処理液が流れる方向に対して上流側となっている。その結果、処理液注入窓内に挿入された注入具の先端部は処理液の本来流れるべき方向（下流側方向）に向くことになる。そのため、そのまま処理液を注入することにより、処理液は流れるべき方向に向けて流れることになり望ましい。
【００２１】
処理液注入窓はケース内側面からケース外側面に向けて開口形状が変化しない筒状の形態の他、ケース内側面における開口からケース外側面における開口に向けて広くなる漏斗状の形態を採用することもできる。漏斗状の形態を採用する場合にはその内壁は各方向において傾斜の大きさが異なる。つまり、開口方向が傾斜する方向と同じ側の内壁の傾きは大きく、反対側の内壁の傾きは小さく、その間における内壁の傾きはその中間程度である。
【００２２】
注入具は処理液を処理液注入窓から処理液投入保持部に向けて注入する手段である。具体的には処理液注入窓に挿入可能であって先端部分に開口部をもつディスペンサーやスポイト、注射器などの手段が例示される。その先端部分の形状は処理液注入窓の形態に合わせて選択することができる。例えば、処理液注入窓の形状が筒状である場合にはその筒内に挿入できる筒状の部材が例示でき、漏斗状の場合には先細状であって先端部分が開口する形状が例示できる。処理液注入窓の形状にかかわらず、先端部分が開口する先細状の形状を採用することが望ましい。そして注入具の先端部分が処理液投入保持部に近接した位置にまで到達できるように、処理液注入窓の開口部よりも先端部分の大きさが小さいことが望ましい。
【００２３】
本検査デバイス用ケースは外部から観察可能なケース外側面に注入具を挿入する方向を示す標示記号が付すことができる。標示記号はその視覚的な中心を示す標示中心点をもつ。標示記号は、ケース外側面における処理液注入窓の開口中心よりも前述した処理液が流れる方向に対して上流側に標示中心点が位置するように所定長さだけずらして設けられる。ずらす長さである所定長さとしては特に限定しないが、処理液注入窓の開口する範囲内でずらすことが例示できる。その程度の長さのずれによっても十分な効果が得られるものと考える。また、標示中心点は、ケース外側面において標示記号が処理液注入窓の開口の周囲に位置する程度のずれの長さとすることができる。
【００２４】
処理液注入窓のケース外側面における開口中心よりも標示中心点をずらすことにより注入具を処理液注入窓に挿入する際に、注入具を挿入する部位として、設定した標示中心点に誘導する作用が働き、その後、実際の処理液注入窓の開口中心に移動する動きとなるため、注入具を望む方向に傾けるように誘導可能である。
【００２５】
ここで標示記号は、標示中心点から放射状に拡がる形状をもつものとして形成可能である。放射状に拡がる形状としては標示中心点に向けて配置される線分（細長形状のものも含む）からなる標示記号の集まりや、全体として標示中心点から拡がるような印象を与えるように配置された複数の標示記号の集まりが例示される。また、標示中心点を中心とする円が挙げられる。円としては複数の標示記号が集まって全体として円に相当する形態を形成する場合も含む。この標示記号は印刷やフィルム状部材の貼付などにより別体として形成しても良いし、凹凸を設けて一体的に形成しても良い。
【００２６】
検査デバイス用ケースは内部に収納された検査部材のうち、展開反応部が観察可能な開口部である観察窓を形成することができる。観察窓は展開反応部に保持した検出物質保持部が肉眼乃至は機械的に観察可能となるように設けられている。
【００２７】
上記のように構成した本実施形態の検査デバイス用ケースにおいては、処理液注入窓を傾けているため、注入具を用いて処理液を注入する際に、注入具をその開口方向の傾斜に合わせて傾けることになって、常に同様の条件にて処理液を注入可能である。更に標示記号をケース外側面に形成することで、心理的な作用により、注入具を望む方向に傾けることが可能になる。
【実施例１】
【００２８】
本発明に係る検査用デバイスケースを具体化した実施例を図面に基づいて以下のように説明する。なお、本実施例にて用いている図面は模式図であり、説明の都合上、その縮尺、各部材の大きさの比などは現実の大きさを反映していない部分があり、また、各部材の形状は一部省略して記載している部分がある。
【００２９】
図１に示すように、本実施例の検査デバイス用ケース４０は、内部に検査部材１０を収納する。検査部材１０は処理液投入保持部１１、展開反応部１２、吸水部１３をもつ。処理液投入保持部１１は処理液が滴下・投入される部分であり、グラスフィルターなどの多孔質体から形成されている。展開反応部１２は処理液が流れて展開する部分であり、処理液中に含まれる被検物質などを特異的な反応により検出する部分である。ニトロセルロース紙などの多孔質体から形成されている。その長手方向の途中に被検物質などと反応可能な検出物質を保持した検出物質保持部１２１をもつ。本実施例では検出物質保持部１２１の位置を明示するだけであるが、本来は処理液中の物質（被検物質など）と反応して発色などが進行する検出物質が保持された部分である。吸水部１３はろ紙などの多孔質体から形成されている。処理液投入保持部１１の一端部及び展開反応部２の一端部は重ね合わされている。展開反応部１２の他端部及び吸水部１３の一端部は重ね合わされている。処理液投入保持部１に滴下された処理液は処理液投入保持部１、展開反応部２、そして吸水部３の順に全体として矢印Ａで示す方向に流れていく。
【００３０】
検査デバイス用ケース４０は検査部材１０の一面側に配置されるカバー部４１と他面側に配置されるベース部４２とをもち、樹脂材料から形成される。検査部材１０は展開反応部１２の一面側に処理液投入保持部１１及び吸水部１３が配置されており、検査デバイス用ケース４０内において展開反応部１２がベース部４２に密着するように配置されている。カバー部４１には観察窓４１３が開口している。観察窓４１３の枠部分の長手方向の両端にはベース部４２方向に突出する凸部である押圧部４１１及び４１２が形成される。押圧部４１１は、処理液投入保持部１１及び展開反応部２の間の重なり部分を押圧する。この押圧部４１１にて押圧されているため、その押圧された部分にて処理液が流れることになる。押圧部４１２は展開反応部１２及び吸水部１３の間の重なり部分を押圧する。この押圧部４１２にて後側接合部Ｂは押圧されているため、その押圧される部分にて処理液が流れることになる。
【００３１】
カバー部４１の処理液投入保持部１に相当する部分に処理液注入窓４９が設けられている。処理液注入窓４９を通じて処理液投入保持部１に処理液が投入される。処理液注入窓４９は、図１（ｃ）及び（ｄ）に示すように、ケース外側面４１ａ側における開口４９１の開口中心４９１ａがケース内側面４１ｂにおける開口４９２の開口中心４９２ａよりも処理液の流れ方向Ａに対して上流側となる。その結果、角度θだけ傾いている。そのため、処理液注入窓における、処理液の流れ方向Ａ側の内壁ｂの傾きの大きさは処理液の流れ方向Ａの反対側の内壁ａの傾きの大きさよりも小さくなる。処理液注入窓４９が傾くことにより、注入具９０を挿入するときに注入具９０がその傾き方向に沿って傾くことになる。注入具９０の形状は先端部分が先細状になっている。
【００３２】
カバー部４１の外面には標示記号Ｍ１及びＭ２が形成されている。標示記号Ｍ１は標示中心点Ｃから放射状に拡がる形状を全体として表しており、標示中心点Ｃに向いた線分の集まりである。この線分は全て標示中心点Ｃから等距離にあり、全体として円形をも形作っている。標示記号Ｍ２は標示中心点Ｃを中心とする円である。標示記号Ｍ１の各線分の中点近傍を結んだ形態となっている。この標示中心点Ｃはケース外側面４１ａ側における処理液注入窓４９の開口４９１における開口中心４９１ａから処理液の流れ方向Ａの上流側に形成されている。そのずれの量は処理液注入窓４９のケース外側面４１ａ側における開口４９１の範囲内である。本実施例の検査デバイス用ケースには放射状に拡がる複数の標示記号Ｍ１と円からなる標示記号Ｍ２とが組み合わせられている。
【００３３】
以上の構成を有することから本実施例の検査デバイスは処理液注入窓から処理液を注入する際に以下の作用効果が生じる。すなわち、注入具９０を処理液注入窓４９に接近させていくと、処理液注入窓４９が傾いているため、その傾きに合わせて注入具９０を傾けてしまう。また、ケース外側面４１ａにおいて処理液注入窓４９の開口４９１よりも外観上目立っている標示記号Ｍ１及びＭ２の存在により、その標示中心点Ｃに向けて注入具９０の先端を移動させてしまうが、その場所にはケース外側面４１ａ側における処理液注入窓４９の開口４９１の開口中心４９１ａはないため、最終的には注入具９０の先端を僅かにずらして位置合わせを行うことになる。その結果、注入具９０はそのずらした方向に対応した方向に傾くことになる。
【００３４】
注入具９０が傾くことにより処理液が注入させる方向も常に一定方向に制御することができる。処理液を注入する方向を一定にできると処理液投入保持部１の表面に処理液が滴下された直後の状態がいつも同じ状態に制御することができるため、処理液の流れのバラツキを減少させることが可能になる。
【００３５】
この検査デバイス用ケース４０を用いて処理液を注入する注入具の傾きに応じて変化する処理液の流れのバラツキについて確認した。なお、上述した実施例に記載した検査デバイス用ケース４０に形成された処理液注入窓４９に代えて、開口方向を傾斜させていない処理液注入窓６９を形成したものを採用した。検査デバイス用ケース４０内には検出部材としてアルカリフォスファターゼにて標識した抗ＰＣＢ抗体（ＡＰ標識抗ＰＣＢ抗体）及びＰＣＢの混合物を接触させた場合に、競合的に抗原抗体反応を生起する２種類の検出物質をそれぞれ保持する検出物質保持部（Ｔ１及びＴ２）をもつ検出部材１０を収納している。この検出部材１０に対し、ＡＰ標識抗ＰＣＢ抗体及びＰＣＢの混合物を処理液として流すと、その存在比に応じてＡＰ標識抗ＰＣＢ抗体がそれぞれの検出物質保持部に対して結合する。このときに結合した量を定量することにより、混合したＰＣＢの量を算出することができるものである。
【００３６】
具体的な操作としては、ＰＣＢを０．５ｐｐｍ含有するＤＭＳＯ溶液を２μＬに対し、アルカリフォスファターゼにて標識した抗ＰＣＢ抗体溶液１００μＬを混合した混合液を処理液注入窓４９から注入する。この場合に、図２（ａ）〜（ｃ）に示すように、垂直方向に対して傾き無し（垂直方向：図２（ａ））、流れ方向Ａ側に向けて傾いているもの（逆方向：図２（ｂ））、流れ方向Ａ側の上流方向に向けて傾いているもの（順方向：図２（ｃ））の３つの状態にて注入・滴下を行った。その後、ブロモクロロインドリルリン酸（ＢＣＩＰ）及びニトロブルーテトラゾリウム（ＮＢＴ）の混合溶液を処理液として流すことにより発色させて検出物質保持部Ｔ１及びＴ２に結合したＡＰ標識抗ＰＣＢ抗体の量を測定した。測定は光学的定量装置にて行った。更に、予め作成した検量線に基づき、その値からＰＣＢ濃度を算出した。結果を表１に示す。
【００３７】
【表１】
2010025823.tif 000003
【００３８】
表１より明らかなように、算出したＰＣＢ濃度の値は垂直方向及び順方向時における場合よりも逆方向に注入した場合の方の分散が大きくなった。この傾向は検出物質保持部Ｔ１及びＴ２における測定値、Ｔ２／Ｔ１の値においても同様であった。また、順方向の方が垂直方向よりも分散が小さかった。
【００３９】
この理由を考察すると、注入具を順方向に傾斜させることにより、処理液が円滑に流れたためであると考えられる。図２に示すように、注入された処理液Ｓはそれぞれ注入具の傾きとは反対方向（垂直時にはそのまま）に多く偏在していることが分かった。順方向時のように、処理液Ｓが処理液注入窓４９を超えて上流側に偏在していないことにより、バラツキが小さくなることが推測される。
【００４０】
本実施例の結果から、注入具の傾きとしては順方向乃至垂直方向にあれば望ましいことが分かった。従って、処理液注入窓を傾けることにより注入具の傾きを順方向に傾けることができれば望ましいことはもちろんであるが、垂直方向から逆方向側に超えることなく保つことができれば十分に効果的であることが分かった。
【図面の簡単な説明】
【００４１】
【図１】実施例における検査デバイスの概略図（（ａ）：上面図、（ｂ）：（ａ）におけるｂ−ｂ断面図、（ｃ）：（ｂ）における処理液注入窓４９近傍の一部拡大図、（ｄ）：（ｃ）におけるＩ視方向からの一部拡大図）である。
【図２】図１に示した検査デバイスに処理液を注入する様子を示す概略図における処理液注入窓４９近傍の一部拡大図である。
【符号の説明】
【００４２】
１１…処理液投入保持部    １２…展開反応部    １２１…検出物質保持部    １３…吸水部
４０…検査デバイス用ケース（４１：カバー部（４１ａ：カバー部におけるケース外側面、４１ｂ：カバー部におけるケース内側面４１ｂ）、４２：ベース部）    ４１１、４１２…押圧部    ４１３…観察窓    ４９…処理液注入窓    ４９１…処理液注入窓のケース外側面における開口    ４９１ａ…その開口中心    ４９２…処理液注入窓のケース内側面における開口    ４９２ａ…その開口中心
９０…注入具
Ａ…処理液の流れ方向    Ｍ１、Ｍ２…標示記号    Ｃ…標示中心点    Ｓ…処理液
【図１】
2010025823.tif 000004
【図２】
2010025823.tif 000005